(57)【特許請求の範囲】
【請求項１】
第１ユニット、前記第１ユニットに設けられたヒンジおよび前記ヒンジを介して前記第１ユニットに対して回動可能に設けられた第２ユニットを備えたエレベーター制御盤における前記第１ユニットに対する前記第２ユニットの回動を規制するエレベーター制御盤の回動規制装置であって、
前記第１ユニットに固定される第１固定部と、
前記第１固定部に対して回動可能に設けられ、前記第２ユニットに固定される第２固定部と、
前記第１固定部に対する前記第２固定部の回動を規制する規制部材と
を備えているエレベーター制御盤の回動規制装置。
【請求項２】
前記第１固定部は、前記第１ユニットに固定される磁力を発生させる第１磁石を有している請求項１に記載のエレベーター制御盤の回動規制装置。
【請求項３】
前記第２固定部は、前記第２ユニットに固定される磁力を発生させる第２磁石を有している請求項１または請求項２に記載のエレベーター制御盤の回動規制装置。
【請求項４】
前記第１固定部には、前記第２固定部が回動する中心軸を中心に周方向に並べて配置され、それぞれが前記中心軸に対して平行の延びる複数の第１貫通孔が形成され、
前記第２固定部には、前記中心軸に対して平行に延びる第２貫通孔が形成され、
前記規制部材は、前記第１貫通孔および前記第２貫通孔に挿入されることによって前記第１固定部に対する前記第２固定部の回動を規制するピンを有している請求項１から請求項３までの何れか一項に記載のエレベーター制御盤の回動規制装置。
【請求項５】
前記第１固定部には、前記第２固定部が回動する中心軸を中心に周方向に延びるガイド溝が形成され、
前記第２固定部には、前記中心軸に対して平行に延びるねじ孔が形成され、
前記規制部材は、前記ガイド溝に挿入された状態で前記ねじ孔に嵌められることによって前記第１固定部に対する前記第２固定部の回動を規制するねじを有している請求項１から請求項３までの何れか一項に記載のエレベーター制御盤の回動規制装置。
【発明の詳細な説明】
【技術分野】
【０００１】
この発明は、エレベーター制御盤における第１ユニットに対する第２ユニットの回動を規制するエレベーター制御盤の回動規制装置に関する。
【背景技術】
【０００２】
従来、第１ユニットと、第１ユニットに対して回動可能に設けられた第２ユニットとを備えたエレベーター制御盤が知られている。エレベーター制御盤のメンテナンスを行う場合には、第２ユニットを回動させた後に、第２ユニットの位置を維持する（例えば、特許文献１参照）。
【先行技術文献】
【特許文献】
【０００３】
【特許文献１】特開２００４−２３１３５１号公報
【発明の概要】
【発明が解決しようとする課題】
【０００４】
しかしながら、エレベーター制御盤のメンテナンスを行う場合には、第２ユニットの位置を回動させた後に第２ユニットの位置を維持する作業者と、エレベーター制御盤のメンテナンスを行う作業者とが必要となり、エレベーター制御盤のメンテナンスの作業効率が悪いという課題があった。
【０００５】
この発明は、上述のような課題を解決するためになされたもので、エレベーター制御盤のメンテナンスの作業効率を向上させることができるエレベーター制御盤の回動規制装置を提供するものである。
【課題を解決するための手段】
【０００６】
この発明に係るエレベーター制御盤の回動規制装置は、第１ユニット、第１ユニットに設けられたヒンジおよびヒンジを介して第１ユニットに対して回動可能に設けられた第２ユニットを備えたエレベーター制御盤における第１ユニットに対する第２ユニットの回動を規制するエレベーター制御盤の回動規制装置であって、第１ユニットに固定される第１固定部と、第１固定部に対して回動可能に設けられ、第２ユニットに固定される第２固定部と、第１固定部に対する第２固定部の回動を規制する規制部材とを備えている。
【発明の効果】
【０００７】
この発明に係るエレベーター制御盤の回動規制装置によれば、第１ユニットに固定される第１固定部と、第１固定部に対して回動可能に設けられ、第２ユニットに固定される第２固定部と、第１固定部に対する第２固定部の回動を規制する規制部材とを備えているので、第１ユニットに対する第２ユニットの回動を規制することができる。その結果、第２ユニットの位置を維持する作業者が不要となり、エレベーター制御盤のメンテナンスの作業効率を向上させることができる。
【図面の簡単な説明】
【０００８】
【図１】この発明の実施の形態１に係る回動規制装置が取り付けられるエレベーター制御盤を示す正面図である。
【図２】図１のエレベーター制御盤を組み立てる様子を示す図である。
【図３】図１のエレベーター制御盤に回動規制装置が取り付けられた状態を示す図である。
【図４】図３のエレベーター制御盤および回動規制装置を示す平面図である。
【図５】図４の第２ユニットが第１ユニットに対して回動した状態を示す図である。
【図６】図３の第１固定部を示す正面図である。
【図７】図６の第１固定部を示す平面図である。
【図８】図６の第１固定部を示す側面図である。
【図９】図３の第２固定部を示す正面図である。
【図１０】図９の第２固定部を示す側面図である。
【図１１】図１０の第２固定部を示す平面図である。
【図１２】この発明の実施の形態２に係る回動規制装置が取り付けられたエレベーター制御盤を示す平面図である。
【図１３】図１２の第２ユニットが第１ユニットに対して回動した状態を示す図である。
【図１４】図１２の第１固定部を示す正面図である。
【図１５】図１４の第１固定部を示す底面図である。
【図１６】図１５の第１固定部を示す側面図である。
【図１７】図１２の第２固定部を示す底面図である。
【図１８】図１７の第２固定部を示す側面図である。
【図１９】図１８の第２固定部を示す平面図である。
【図２０】図１２の規制部材を示す底面図である。
【発明を実施するための形態】
【０００９】
実施の形態１．
図１はこの発明の実施の形態１に係る回動規制装置が取り付けられるエレベーター制御盤を示す正面図、図２は図１のエレベーター制御盤を組み立てる様子を示す図である。エレベーター制御盤は、第１ユニット１と、第２ユニット２と、第１ユニット１および第２ユニット２に渡って設けられた一対のヒンジ３とを備えている。一対のヒンジ３は、高さ方向に離れて配置されている。第２ユニット２には、図示しない電気部品が取り付けられている。第１ユニット１および第２ユニット２は、磁石との間で引力が発生する磁性体を有している。
【００１０】
それぞれのヒンジ３は、第１ユニット１に取り付けされた軸側ヒンジ部３１と、軸側ヒンジ部３１に設けられ、高さ方向に延びる中心軸３２と、第２ユニット２に取り付けられ、中心軸３２に着脱可能な受側ヒンジ部３３とを有している。受側ヒンジ部３３は、軸側ヒンジ部３１に対して中心軸３２を中心に回動可能となっている。受側ヒンジ部３３を中心軸３２に着脱することによって、第２ユニット２が第１ユニット１に対して着脱される。これにより、エレベーター制御盤の工作性が向上される。
【００１１】
第２ユニット２がヒンジ３を介して第１ユニット１に取り付けられている場合に、受側ヒンジ部３３が軸側ヒンジ部３１に対して中心軸３２を中心に回動することによって、第２ユニット２は第１ユニット１に対して中心軸３２を中心に回動する。言い換えれば、第２ユニットは、第２ユニット２がヒンジ３を介して第１ユニット１に取り付けられている場合に、第１ユニット１に対して中心軸３２を中心に回動可能となっている。
【００１２】
図３は図１のエレベーター制御盤に回動規制装置が取り付けられた状態を示す図、図４は図３のエレベーター制御盤および回動規制装置を示す平面図である。エレベーター制御盤の回動規制装置である回動規制装置４は、第１ユニット１に固定される第１固定部４１と、第２ユニット２に固定される第２固定部４２と、第１固定部４１と第２固定部４２とに渡って設けられたヒンジ４３と、第１固定部４１と第２固定部４２とに渡って設けられた規制部材４４とを備えている。
【００１３】
ヒンジ４３は、第１固定部４１に取り付けられる固定板４３１と、固定板４３１に設けられ高さ方向に延びる中心軸４３２と、第２固定部４２に取り付けられ、固定板４３１に対して中心軸４３２を中心に回動する固定板４３３とを備えている。中心軸３２および中心軸４３２は、互いに平行に配置されている。
【００１４】
図５は図４の第２ユニット２が第１ユニット１に対して回動した状態を示す図である。固定板４３３が固定板４３１に対して中心軸４３２を中心に回動することによって、第２ユニット２が第１ユニット１に対して中心軸３２を中心に回動する。
【００１５】
図６は図３の第１固定部４１を示す正面図、図７は図６の第１固定部４１を示す平面図、図８は図６の第１固定部４１を示す側面図である。第１固定部４１は、固定板４３１に重ねられる縦板部４１１と、縦板部４１１の側面に固定された第１磁石４１２と、縦板部４１１の上部に設けられた横板部４１３とを有している。縦板部４１１には、縦板部４１１と固定板４３１とを固定するためのねじが挿入される複数の貫通孔４１４が形成されている。横板部４１３には、中心軸４３２を中心に周方向に並べて配置されそれぞれが中心軸４３２に対して平行に延びる複数の第１貫通孔４１５が形成されている。縦板部４１１は、磁性体から構成されている。
【００１６】
第１固定部４１は、第１磁石４１２が発生する磁力によって、第１ユニット１に固定されている。第１固定部４１に第１磁石４１２が発生する磁力よりも大きい力を加えることによって、第１固定部４１は第１ユニット１から取り外される。したがって、作業者は、容易に第１固定部４１を第１ユニット１に着脱することができる。
【００１７】
図９は図３の第２固定部４２を示す正面図、図１０は図９の第２固定部４２を示す側面図、図１１は図１０の第２固定部４２を示す平面図である。第２固定部４２は、固定板４３３に重ねられる縦板部４２１と、縦板部４２１に固定された第２磁石４２２と、縦板部４２１の上部に設けられた横板部４２３とを有している。縦板部４２１には、縦板部４２１と固定板４３３とを固定するためのねじが挿入される複数の貫通孔４２４が形成されている。横板部４２３には、中心軸４３２に対して平行に延びる第２貫通孔４２５が形成されている。縦板部４２１は、磁性体から構成されている。第２貫通孔４２５の大きさは、第１貫通孔４１５の大きさと同一となっている。
【００１８】
図４および図５に示すように、規制部材４４は、第１貫通孔４１５および第２貫通孔４２５に挿入されるピンを有している。規制部材４４は、図示しない紐、鎖などによって第１固定部４１または第２固定部４２に接続されている。これにより、規制部材４４が紛失されることが防止される。規制部材４４は、第１貫通孔４１５および第２貫通孔４２５が高さ方向に重ねられた場合に、第１貫通孔４１５および第２貫通孔４２５に挿入可能となっている。規制部材４４が第１貫通孔４１５および第２貫通孔４２５に挿入されることによって、第１固定部４１に対する第２固定部４２の回動が規制される。第１固定部４１に対する第２固定部４２の回動が規制されることによって、固定板４３１に対する固定板４３３の回動が記載され、第１ユニット１に対する第２ユニット２の回動が規制される。第１貫通孔４１５および第２貫通孔４２５から規制部材４４が引き抜かれることによって、第１固定部４１に対する第２固定部４２の回動が自由になる。その結果、第１ユニット１に対する第２ユニット２の回動が自由になる。
【００１９】
第１ユニット１に対する第２ユニット２の回動角度は、複数の第１貫通孔４１５の中から規制部材４４が挿入される第１貫通孔４１５を選択することによって、変更可能となっている。
【００２０】
以上説明したように、この発明の実施の形態１に係る回動規制装置４によれば、第１ユニット１に固定される第１固定部４１と、第１固定部４１に対して回動可能に設けられ、第２ユニット２に固定される第２固定部４２と、第１固定部４１に対する第２固定部４２の回動を規制する規制部材４４とを備えているので、第１ユニット１に対する第２ユニット２の回動を規制することができる。その結果、第２ユニット２の位置を維持する作業者が不要となり、エレベーター制御盤のメンテナンスの作業効率を向上させることができる。また、第１ユニット１に対する第２ユニット２の回動位置を維持することができるので、エレベーター制御盤が活線状態である場合に、作業者がエレベーター制御盤に触れて感電しまうことを抑制することができる。また、高価なトルクヒンジを用いることなく第１ユニット１に対する第２ユニット２の回動位置を維持することができるので、回動規制装置４のコストを低減させることができる。
【００２１】
また、第１固定部４１は、第１ユニット１に固定される磁力を発生させる第１磁石４１２を有しているので、メンテナンス終了後に、第１ユニット１または第２ユニット２に第１固定部４１に固定して第１固定部４１を保管することができる。また、第１固定部４１は、磁力を用いて第１ユニット１に固定されるので、ドライバーなどの工具を用いることなく、第１固定部４１を第１ユニット１に固定することができる。
【００２２】
また、第２固定部４２は、第２ユニット２に固定される磁力を発生させる第２磁石４２２を有しているので、メンテナンス終了後に、第１ユニット１または第２ユニット２に第２固定部４２に固定して第２固定部４２を保管することができる。また、第２固定部４２は、磁力を用いて第２ユニット２に固定されるので、ドライバーなどの工具を用いることなく、第２固定部４２を第２ユニット２に固定することができる。
【００２３】
第１固定部４１には、第２固定部４２が回動する中心軸４３２を中心に周方向に並べて配置され、それぞれが中心軸４３２に対して平行の延びる複数の第１貫通孔４１５が形成され、第２固定部４２には、中心軸４３２に対して平行に延びる第２貫通孔４２５が形成され、規制部材４４は、第１貫通孔４１５および第２貫通孔４２５に挿入されることによって第１固定部４１に対する第２固定部４２の回動を規制するピンを有しているので、第１ユニット１に対する第２ユニット２の回動角度を調節することができる。
【００２４】
実施の形態２．
図１２はこの発明の実施の形態２に係る回動規制装置が取り付けられたエレベーター制御盤を示す平面図である。回動規制装置４は、第１ユニット１に固定される第１固定部４５と、第２ユニット２に固定される第２固定部４６と、第１固定部４５と第２固定部４６とに渡って設けられたヒンジ４３と、第１固定部４５と第２固定部４６とに渡って設けられた規制部材４７とを備えている。ヒンジ４３は、実施の形態１と同様である。
【００２５】
図１３は図１２の第２ユニット２が第１ユニット１に対して回動した状態を示す図である。固定板４３３が固定板４３１に対して中心軸４３２を中心に回動することによって、第２ユニット２が第１ユニット１に対して中心軸３２を中心に回動する。
【００２６】
図１４は図１２の第１固定部４５を示す正面図、図１５は図１４の第１固定部４５を示す底面図、図１６は図１５の第１固定部４５を示す側面図である。第１固定部４５は、固定板４３１に重ねられる縦板部４５１と、縦板部４５１に固定された第１磁石４５２と、縦板部４５１の上部に設けられた横板部４５３とを有している。縦板部４５１には、縦板部４５１と固定板４３１とを固定するためのねじが挿入される複数の貫通孔４５４が形成されている。横板部４５３には、中心軸４３２を中心に周方向に延びるガイド溝４５５が形成されている。ガイド溝４５５は、中心軸４３２に対して平行に延びて横板部４５３を貫通している。縦板部４５１は、磁性体から構成されている。
【００２７】
第１固定部４５は、第１磁石４５２が発生する磁力によって、第１ユニット１に固定されている。第１固定部４５に第１磁石４５２が発生する磁力よりも大きい力を加えることによって、第１固定部４５は第１ユニット１から取り外される。したがって、作業者は、容易に第１固定部４５を第１ユニット１に着脱することができる。
【００２８】
図１７は図１２の第２固定部４６を示す底面図、図１８は図１７の第２固定部４６を示す側面図、図１９は図１８の第２固定部４６を示す平面図である。第２固定部４６は、固定板４３３に重ねられる縦板部４６１と、縦板部４６１に固定された第２磁石４６２と、縦板部４６１の上部に設けられた横板部４６３とを有している。縦板部４６１には、縦板部４６１と固定板４３３とを固定するためのねじが挿入される複数の貫通孔４６４が形成されている。横板部４６３には、中心軸４３２に平行に延びるねじ孔４６５が形成されている。縦板部４６１は、磁性体から構成されている。
【００２９】
図２０は図１２の規制部材４７を示す底面図である。規制部材４７は、ガイド溝４５５およびねじ孔４６５に嵌められるねじ４７１と、ねじ４７１に設けられたつまみ部４７２と有している。作業者がつまみ部４７２を回転させることによって、ねじ４７１が周方向に回転する。規制部材４７がガイド溝４５５に挿入された状態で、ねじ孔４６５に嵌められることによって、第１固定部４５に対する第２固定部４６の回動が規制される。第１固定部４５に対する第２固定部４６の回動が規制されることによって、固定板４３１に対する固定板４３３の回動が記載され、第１ユニット１に対する第２ユニット２の回動が規制される。その他の構成は、実施の形態１と同様である。
【００３０】
以上説明したように、この発明の実施の形態２に係る回動規制装置４によれば、第１固定部４５には、第２固定部４６が回動する中心軸４３２を中心に周方向に延びるガイド溝４５５が形成され、第２固定部４６には、中心軸４３２に平行に延びるねじ孔４６５が形成され、規制部材４７は、ガイド溝４５５に挿入された状態でねじ孔４６５に嵌められることによって第１固定部４５に対する第２固定部４６の回動を規制するねじ４７１を有しているので、実施の形態１と比較して、第１ユニット１に対する第２ユニット２の回動角度をより細かく調節することができる。また、規制部材４７のねじ４７１をねじ孔４６５に対して緩めるだけで、第１固定部４５に対する第２固定部４６の回動が自由になるので、実施の形態１と比較して、第１ユニット１に対して第２ユニット２を回動させる場合に規制部材４７をねじ孔４６５およびガイド溝４５５から引き抜く必要がなくなる。これにより、規制部材４７は、図示しない紐、鎖などによって第１固定部４５または第２固定部４６に接続する必要がなくなる。その結果、実施の形態１よりも回動規制装置４の構成を簡単にすることができ、安価に製造することができる。
【符号の説明】
【００３１】
１  第１ユニット、２  第２ユニット、３  ヒンジ、４  回動規制装置、３１  軸側ヒンジ部、３２  中心軸、３３  受側ヒンジ部、４１  第１固定部、４２  第２固定部、４３  ヒンジ、４４  規制部材、４５  第１固定部、４６  第２固定部、４７  規制部材、４１１  縦板部、４１２  第１磁石、４１３  横板部、４１４  貫通孔、４１５  第１貫通孔、４２１  縦板部、４２２  第２磁石、４２３  横板部、４２４  貫通孔、４２５  第２貫通孔、４３１  固定板、４３２  中心軸、４３３  固定板、４５１  縦板部、４５２  第１磁石、４５３  横板部、４５４  貫通孔、４５５  ガイド溝、４６１  縦板部、４６２  第２磁石、４６３  横板部、４６４  貫通孔、４６５  ねじ孔、４７１  ねじ、４７２  つまみ部。
【図１】
0006641231.tif 000002
【図２】
0006641231.tif 000003
【図３】
0006641231.tif 000004
【図４】
0006641231.tif 000005
【図５】
0006641231.tif 000006
【図６】
0006641231.tif 000007
【図７】
0006641231.tif 000008
【図８】
0006641231.tif 000009
【図９】
0006641231.tif 000010
【図１０】
0006641231.tif 000011
【図１１】
0006641231.tif 000012
【図１２】
0006641231.tif 000013
【図１３】
0006641231.tif 000014
【図１４】
0006641231.tif 000015
【図１５】
0006641231.tif 000016
【図１６】
0006641231.tif 000017
【図１７】
0006641231.tif 000018
【図１８】
0006641231.tif 000019
【図１９】
0006641231.tif 000020
【図２０】
0006641231.tif 000021